(57)【特許請求の範囲】
【請求項１】
被駆動用の磁石が一体成形されたポンプの羽根車であって、被駆動用の磁石の一体成形による羽根車に構造上生じる開口部を、別部材のシュラウドを装着することにより閉塞し、その閉塞箇所に循環水の浸入を防止するシール手段を設けたことを特徴とするポンプの羽根車。
【請求項２】
循環水の浸入を防止するシール手段は、開口部の閉塞箇所にシール部材を設けて構成されたことを特徴とする請求項１記載のポンプの羽根車。
【請求項３】
循環水の浸入を防止するシール手段は、開口部にシュラウドの凸部を圧入することにより構成されたことを特徴とする請求項１記載のポンプの羽根車。
【請求項４】
循環水の浸入を防止するシール手段は、開口部にシュラウドを接着して閉塞することにより構成されたことを特徴とする請求項１記載のポンプの羽根車。
【請求項５】
循環水の浸入を防止すシール手段は、開口部にシュラウドを溶着して閉塞することにより構成されたことを特徴とする請求項１記載のポンプの羽根車。
【発明の詳細な説明】
【０００１】
【発明の属する技術分野】
本発明は、被駆動用の磁石を備えたポンプの羽根車に関する。
【０００２】
【従来の技術】
近年、特に機器組込み用のポンプは、機器の小型・軽量化の流れの中、羽根車の回転数を高速化することによって小型化が図られている。従来この種のポンプは、ネオジ磁石に代表される希土類の強磁石を被駆動用磁石として羽根車に一体設け、羽根車の回転数を高速化したものが一般的であった。
【０００３】
以下に、図５を参照して従来のポンプについて説明する。図５は従来のポンプの概略断面図である。
【０００４】
図５に示すように従来のポンプにおける羽根車１は、前面シュラウド１ａと後面シュラウド１ｂを溶着し、前面シュラウド１ａと後面シュラウド１ｂ間に形成される通水路に羽根１ｃを有し、さらに、中心を挿通する固定軸２と、すべり軸受３およびその外側に位置する被駆動用の磁石４を一体にして備えて構成されている。
【０００５】
図中の５は羽根車１を収納するケーシング、６は羽根車１のスラスト荷重を受けるスラスト軸受、７はケーシング５の外周部に構成されたステーター、８は羽根車１より送水された流体を案内するボリュートケーシング、９は吸込口、１０は吐水口である。
【０００６】
上記構成のポンプにおいて、ステーター７に羽根車駆動のために制御電流が印加されると、その磁界および羽根車の被駆動用の磁石４により羽根車１は駆動されて回転し、羽根車１の通水路に構成された羽根１ｃの回転により、満たされていた流体は吸込口９より羽根車１、ボリュートケーシング８を介して吐水口１０へ送水される仕組みである。
【０００７】
そして、羽根車１の被駆動用の磁石４にネオジ磁石等の希土類の強磁石を採用して、ポンプ効率の向上を図っていた。
【０００８】
【発明が解決しようとする課題】
しかしながら上記のように構成された従来のポンプにおいては、ネオジ磁石に代表される希土類の強磁石が腐食しやすいという欠点があり、さらに、羽根車１における後面シュラウド１ｂと被駆動用の磁石４を一体成形するため、後面シュラウド１ｂにノックアウトピンのあとが開口部１ｄとなって形成され、被駆動用の磁石４の腐食を防止するのに被駆動用の磁石４の露出した開口部１ｄ部に、高価なコーティングまたは専用部材追加等の防錆手段が必要であるという課題を有していた。
【０００９】
また、防錆の理由により腐食しないフェライト系のプラスチックマグネットを被駆動用磁石としたポンプもあるが、フェライト系のプラスチックマグネットはネオジ磁石等の希土類の強磁石にくらべると磁力が小さいために、効率の点では不利であった。
【００１０】
本発明は前記従来の課題に留意し、被駆動用の磁石にネオジ磁石等の希土類の強磁石を採用でき、その強力な磁力によりポンプ効率を向上させることが可能となるポンプの羽根車を提供することを目的とする。
【００１１】
【課題を解決するための手段】
本発明は上記目的を達成するために、被駆動用の磁石が一体成形されたポンプの羽根車であって、被駆動用の磁石を一体成形したことによる羽根車に構造上生じる開口部を別部材のシュラウドを装着することにより閉塞し、その閉塞箇所に循環水の浸入を防止するシール手段を構成したものである。
【００１２】
本発明によれば、被駆動用の磁石にネオジ磁石に代表される希土類の強磁石を採用しても、羽根車に構造上生じる開口部を別部材のシュラウドを装着して閉塞し、その閉塞箇所に循環水の浸入を防止するシール手段を構成しているため、被駆動用磁石にネオジ磁石等の希土類の強磁石を採用でき、その強力な磁力によりポンプ効率を向上することが可能となる。
【００１３】
【発明の実施の形態】
本発明の請求項１に記載された発明は、被駆動用の磁石が一体成形されたポンプの羽根車であって、被駆動用の磁石の一体成形による羽根車に構造上生じる開口部を、別部材のシュラウドを装着することにより閉塞し、その閉塞箇所に循環水の浸入を防止するシール手段を設けたポンプの羽根車であり、循環水の浸入を防止するシール手段を簡単な構造として安価に製造でき、また、被駆動用磁石にネオジ磁石等の腐食しやすい希土類の強磁石が採用でき、その強力な磁力により高効率のポンプを実現するという作用を有する。
【００１４】
本発明の請求項２に記載された発明は、請求項１に記載のポンプの羽根車において、循環水の浸入を防止するシール手段は、開口部の閉塞箇所にシール部材を設けて構成されたものであり、循環水の浸入を防止するシール手段を簡単な構造として安価に製造できるという作用を有する。
【００１５】
本発明の請求項３に記載された発明は、請求項１に記載のポンプの羽根車において、循環水の浸入を防止するシール手段は、開口部にシュラウドの凸部を圧入することにより構成されたものであり、同じく循環水の浸入を防止するシール手段を簡単な構造として安価に製造できるという作用を有する。
【００１６】
本発明の請求項４に記載された発明は、請求項１に記載のポンプの羽根車ににおいて、循環水の浸入を防止するシール手段は、開口部にシュラウドを接着して閉塞することにより構成されたものであり、同じく循環水の浸入を防止するシール手段を簡単な構造として安価に製造できるという作用を有する。
【００１７】
本発明の請求項５に記載された発明は、請求項１に記載のポンプの羽根車において、循環水の浸入を防止すシール手段は、開口部にシュラウドを溶着して閉塞することにより構成されたものであり、同じく循環水の浸入を防止するシール手段を簡単な構造として安価に製造できるという作用を有する。
【００１８】
以下、本発明の実施の形態について図面を参照して説明する。
【００１９】
（実施の形態１）
図１は、本発明の実施の形態１のポンプの羽根車の概略断面図である。
【００２０】
なお、従来の技術の説明で用いた符号およびポンプの動作原理は基本的に従来の技術と同一であるため詳細な説明は従来の技術により省略し、また、従来の技術と異なるのは羽根車の構造のみであるため、以下従来の技術と異なる羽根車の構造についてのみ説明する。
【００２１】
図１に示すように本発明の実施の形態１のポンプの羽根車１０１は、前面シュラウド１０１ａと、後面シュラウド１０１ｂと、前面シュラウド１０１ａに構成された羽根１０１ｃと、後面シュラウド１０１ｂと一体成形された被駆動用の磁石１０４を主構成部材としている。
【００２２】
前記の後面シュラウド１０１ｂと前面シュラウド１０１ａに構成さた羽根１０１ｃは超音波溶着にて固定され、後面シュラウド１０１ｂにおける被駆動用の磁石４を一体成形するのに構造上生じる開口部１０１ｄには、羽根１０１ｃの底面に形成された凸部１０１ｅがＯリング等のシール部材１１０を介在させて嵌めこまれ、すなわち凸部１０１ｅで開口部１０１ｄが閉塞されている。さらに、ステーター７と被駆動用の磁石４の距離をできるだけ小さくするため、被駆動用の磁石１０４と一体成形された後面シュラウド１０１ｂのステーター側の肉厚は、０．８ｍｍから１．０ｍｍと薄肉に構成されている。
【００２３】
以上のように構成された本発明の実施の形態１のポンプの羽根車１０１において、後面シュラウド１０１ｂの開口部１０１ｄは、前面シュラウド１０１ａの羽根底面の凸部１０１ｅで閉塞され、さらに開口部１０１ｄと凸部１０１ｅ間をシールするのにシール部材１１０をシール手段として設けているので、後面シュラウド１０１ｂ内部の被駆動用の磁石１０４に循環水は浸入することはない。したがって被駆動用の磁石１０４にネオジ磁石等の腐食しやすい希土類の強磁石が採用でき、その強力な磁力により高効率ポンプを提供することができる。
【００２４】
（実施の形態２）
図２は、本発明の実施の形態２のポンプの羽根車の概略断面図である。
【００２５】
図２に示すようにこの実施の形態２のポンプの羽根車２０１の特徴は、後面シュラウド２０１ｂの開口部２０１ｄに前面シュラウド２０１ａの凸部２０１ｅを圧入することにより、開口部２０１ｄを閉塞して循環水の浸入を防止するシール手段としたことである。
【００２６】
この構成により、被駆動用の磁石２０４にネオジ磁石等の腐食しやすい希土類の強磁石が採用でき、その強力な磁力により高効率ポンプを提供することができる。
【００２７】
（実施の形態３）
図３は、本発明の実施の形態３のポンプの羽根車の概略断面図である。
【００２８】
図３に示すようにこの実施の形態３のポンプの羽根車３０１の特徴は、後面シュラウド３０１ｂの開口部３０１ｄに前面シュラウド３０１ａの凸部３０１ｅを接着することにより開口部３０１ｄを閉塞して循環水の浸入を防止するシール手段としたことである。
【００２９】
この構成により、被駆動用の磁石３０４にネオジ磁石等の腐食しやすい希土類の強磁石が採用でき、その強力な磁力により高効率ポンプを提供することができる。
【００３０】
（実施の形態４）
図４は、本発明の実施の形態４のポンプの羽根車の概略断面図である。
【００３１】
図４に示すようにこの実施の形態４のポンプの羽根車４０１の特徴は、後面シュラウド４０１ｂの開口部４０１ｄに前面シュラウド４０１ａの凸部４０１ｅを溶着することにより開口部４０１ｄを閉塞して循環水の浸入を防止するシール手段としたことである。
【００３２】
この構成により、被駆動用の磁石４０４にネオジ磁石等の腐食しやすい希土類の強磁石が採用でき、その強力な磁力により高効率ポンプを提供することができる。
【００３３】
【発明の効果】
以上のように本発明によれば、被駆動用の磁石が一体成形された構造のポンプの羽根車において、羽根車に構造上生じる開口部を別部材のシュラウドを装着することにより閉塞し、さらに閉塞箇所に循環水の浸入を防止するシール手段を構成するので、簡単な構造で安価に製造でき、被駆動用の磁石にネオジ磁石等の腐食しやすい希土類の強磁石が採用でき、その強力な磁力により高効率ポンプを提供することができる。
【図面の簡単な説明】
【図１】本発明の実施の形態１のポンプの羽根車の概略断面図
【図２】本発明の実施の形態２のポンプの羽根車の概略断面図
【図３】本発明の実施の形態３のポンプの羽根車の概略断面図
【図４】本発明の実施の形態４のポンプの羽根車の概略断面図
【図５】従来のポンプの概略断面図
【符号の説明】
１０１  羽根車
１０１ａ  前面シュラウド
１０１ｂ  後面シュラウド
１０１ｃ  羽根
１０１ｄ  開口部
１０１ｅ  凸部
１０４  被駆動用の磁石
１１０  シール部材
【図１】
0004389374.tif 000002
【図２】
0004389374.tif 000003
【図３】
0004389374.tif 000004
【図４】
0004389374.tif 000005
【図５】
0004389374.tif 000006